(57)【特許請求の範囲】
【請求項１】
手洗い空間内の使用者の手の有無を検知し手がある場合には自動的に吐水する自動水栓であって、
鉛直方向に延びる基部とこの基部の上端から前方に延び先端に吐水口を備えた延出部からなりそれらの内部に吐水流路が形成されているスパウト部と、
このスパウト部の基部内に取り付けられ使用者の手を検知する手検知部と、
この手検知部が使用者の手を検知したとき上記吐水口から吐水する吐水手段と、を有し、
上記手検知部は、上記スパウト部の基部の前面に取り付けられた透光板と、この透光板に対向し且つ投受光面の垂線が斜め下方に向くように配置された投光素子及び受光素子を備えた光電センサーと、上記透光板と上記光電センサーの投受光面との間に設けられ、その前面が上記透光板と当接すると共にその後面が上記光電センサーの投受光面と当接し且つ上記投光素子と受光素子からの投受光がそれぞれ通過可能な貫通孔が形成された遮光部を備えており、
上記手検出部は、更に、光電センサーを収納するホルダー部を備え、このホルダー部に収納された光電センサーの投受光面が上記遮光部の後面に当接するようにホルダー部と遮光部をアセンブリし、この後、このアセンブリされた遮光部が、その前面が上記投光板と当接するように、上記スパウト部の基部の内面に取り付けられており、
上記ホルダー部は、上記光電センサーの投受光面が上記遮光部の後面と当接するように上記光電センサーを付勢する付勢手段を備えており、
上記ホルダー部の付勢手段は、上記光電センサーの後端面を付勢する板バネを有することを特徴とする自動水栓。
【請求項２】
手洗い空間内の使用者の手の有無を検知し手がある場合には自動的に吐水する自動水栓であって、
鉛直方向に延びる基部とこの基部の上端から前方に延び先端に吐水口を備えた延出部からなりそれらの内部に吐水流路が形成されているスパウト部と、
このスパウト部の基部内に取り付けられ使用者の手を検知する手検知部と、
この手検知部が使用者の手を検知したとき上記吐水口から吐水する吐水手段と、を有し、
上記手検知部は、上記スパウト部の基部の前面に取り付けられた透光板と、この透光板に対向し且つ投受光面の垂線が斜め下方に向くように配置された投光素子及び受光素子を備えた光電センサーと、上記透光板と上記光電センサーの投受光面との間に設けられ、その前面が上記透光板と当接すると共にその後面が上記光電センサーの投受光面と当接し且つ上記投光素子と受光素子からの投受光がそれぞれ通過可能な貫通孔が形成された遮光部を備えており、
上記手検出部は、更に、上記スパウト部の基部に対して着脱可能な前面板を備え、この前面板に上記透光板及び上記ホルダー部又は遮光部がそれぞれ取り付けられており、
上記前面板は、上記スパウト部の基部の前面にパッキンを介して固定部材により固定される内蓋と、この内蓋に上記固定部材を隠すように嵌め込まれる外蓋とから構成されていることを特徴とする自動水栓。
【請求項３】
手洗い空間内の使用者の手の有無を検知し手がある場合には自動的に吐水する自動水栓であって、
鉛直方向に延びる基部とこの基部の上端から前方に延び先端に吐水口を備えた延出部からなりそれらの内部に吐水流路が形成されているスパウト部と、
このスパウト部の基部内に取り付けられ使用者の手を検知する手検知部と、
この手検知部が使用者の手を検知したとき上記吐水口から吐水する吐水手段と、を有し、
上記手検知部は、上記スパウト部の基部の前面に取り付けられた透光板と、この透光板に対向し且つ投受光面の垂線が斜め下方に向くように配置された投光素子及び受光素子を備えた光電センサーと、上記透光板と上記光電センサーの投受光面との間に設けられ、その前面が上記透光板と当接すると共にその後面が上記光電センサーの投受光面と当接し且つ上記投光素子と受光素子からの投受光がそれぞれ通過可能な貫通孔が形成された遮光部を備えており、
上記手検出部は、更に、上記スパウト部の基部に対して着脱可能な前面板を備え、この前面板に上記透光板及び上記ホルダー部又は遮光部がそれぞれ取り付けられており、
上記自動水栓は、更に、上記光電センサーに信号線を介して接続された吐水を制御するコントロールユニットと、上記前面板に固定され上記信号線を上記光電センサーの近傍で保持するコードクランプ手段とを備えている事を特徴とする自動水栓。
【請求項４】
手洗い空間内の使用者の手の有無を検知し手がある場合には自動的に吐水する自動水栓であって、
鉛直方向に延びる基部とこの基部の上端から前方に延び先端に吐水口を備えた延出部からなりそれらの内部に吐水流路が形成されているスパウト部と、
このスパウト部の基部内に取り付けられ使用者の手を検知する手検知部と、
この手検知部が使用者の手を検知したとき上記吐水口から吐水する吐水手段と、を有し、
上記手検知部は、上記スパウト部の基部の前面に取り付けられた透光板と、この透光板に対向し且つ投受光面の垂線が斜め下方に向くように配置された投光素子及び受光素子を備えた光電センサーと、上記透光板と上記光電センサーの投受光面との間に設けられ、その前面が上記透光板と当接すると共にその後面が上記光電センサーの投受光面と当接し且つ上記投光素子と受光素子からの投受光がそれぞれ通過可能な貫通孔が形成された遮光部を備えており、
上記手検出部は、更に、上記光電センサーの投受光面が上記遮光部の後面に当接した状態で光電センサー及び遮光部を収納するホルダー部を備え、このホルダー部が上記スパウト部の基部の内面に取り付けられており、
上記遮光部とホルダー部は一体的に形成されており、
上記手検出部は、更に、上記スパウト部の基部に対して着脱可能な前面板を備え、この前面板に上記透光板及び上記ホルダー部又は遮光部がそれぞれ取り付けられており、
上記前面板は、上記スパウト部の基部の前面にパッキンを介して固定部材により固定される内蓋と、この内蓋に上記固定部材を隠すように嵌め込まれる外蓋とから構成されていることを特徴とする自動水栓。
【請求項５】
上記手検出部は、更に、上記スパウト部の基部に対して着脱可能な前面板を備え、この前面板に上記透光板及び上記ホルダー部又は遮光部がそれぞれ取り付けられている請求項１記載の自動水栓。
【請求項６】
上記前面板は、上記スパウト部の基部の前面にパッキンを介して固定部材により固定される内蓋と、この内蓋に上記固定部材を隠すように嵌め込まれる外蓋とから構成されている請求項５記載の自動水栓。
【請求項７】
上記自動水栓は、更に、上記光電センサーに信号線を介して接続された吐水を制御するコントロールユニットと、上記前面板に固定され上記信号線を上記光電センサーの近傍で保持するコードクランプ手段とを備えている請求項５記載の自動水栓。
【請求項８】
上記スパウト部の吐水流路は、スパウト部の内面により形成され、上記手検出部は、上記スパウト部の基部内の吐水流路とは別の空間内に配置されている請求項１乃至７の何れか１項記載の自動水栓。
【請求項９】
上記スパウト部の延出部は、水平方向に延び且つ上記吐水流路が幅広の扁平流路に形成されている請求項１乃至８の何れか１項記載の自動水栓。
【発明の詳細な説明】
【技術分野】
【０００１】
本発明は、自動水栓に係り、特に、手洗い空間内の使用者の手の有無を検知し手がある場合には自動的に吐水する自動水栓に関する。
【背景技術】
【０００２】
従来から、洗面台等に設けられ、手洗い空間内の使用者の手の有無を検知し手がある場合には自動的に吐水する自動水栓が知られている。この自動水栓の例が、特許文献１に示されている。この特許文献１に示された自動水栓においては、スパウト部が、その底面が洗面器に固定され、底面から前方上斜めに立ち上がった後、先端が前方下斜めに向くような曲線（アーチ形状）を描くような形状を有している。また、使用者の手の有無を検出するセンサーがスパウト部の前面の基部（下方部）内に配置されている。さらに、このセンサー前方には、透光板部が設けられ、この透光板部の背面である平坦面とセンサーの投受光面とが当接して配置されている。
【０００３】
【特許文献１】特開２００１-１０７４０７
【発明の開示】
【発明が解決しようとする課題】
【０００４】
上述した従来の自動水栓においては、使用者が手洗い動作する洗面台のボール部との位置関係の都合上、センサーの投受光方向をスパウト部の前方斜め下方に指向させる必要があるため、上述したように、スパウト部の基部自体を斜め上方に傾斜させ、透光板部の垂線方向とセンサーの投受光方向とを一致させていた。
しかしながら、このような構造の自動水栓では、スパウト部の基部が使用者に向かって傾くことになり、手洗い空間が圧迫されて広く取れないといった問題がある。
【０００５】
手洗い空間を圧迫しないように、スパウト部の基部は鉛直方向に延びるような構造とし、センサーをスパウト部の先端の吐水口の近傍に設けた従来例（自動水栓）も知られているが、このような構造のものは、スパウト部の内部の基部から先端に亘ってセンサーコードを引き回す必要があり、組立作業は複雑なものとなっていた。
【０００６】
そこで、本発明は、従来技術の問題点を解決するためになされたものであり、手洗い空間を広くとることができる自動水栓を提供することを目的としている。
また、本発明は、組立作業を簡単にすることができる自動水栓を提供することを目的としている。
【課題を解決するための手段】
【０００７】
上記の目的を達成するために、本発明は、手洗い空間内の使用者の手の有無を検知し手がある場合には自動的に吐水する自動水栓であって、鉛直方向に延びる基部とこの基部の上端から前方に延び先端に吐水口を備えた延出部からなりそれらの内部に吐水流路が形成されているスパウト部と、このスパウト部の基部内に取り付けられ使用者の手を検知する手検知部と、この手検知部が使用者の手を検知したとき吐水口から吐水する吐水手段と、を有し、手検知部は、スパウト部の基部の前面に取り付けられた透光板と、この透光板に対向し且つ投受光面の垂線が斜め下方に向くように配置された投光素子及び受光素子を備えた光電センサーと、透光板と光電センサーの投受光面との間に設けられ、その前面が透光板と当接すると共にその後面が光電センサーの投受光面と当接し且つ投光素子と受光素子からの投受光がそれぞれ通過可能な貫通孔が形成された遮光部を備えており、
手検出部は、更に、光電センサーを収納するホルダー部を備え、このホルダー部に収納された光電センサーの投受光面が遮光部の後面に当接するようにホルダー部と遮光部をアセンブリし、この後、このアセンブリされた遮光部がその前面が投光板と当接するようにスパウト部の基部の内面に取り付けられており、
ホルダー部は、光電センサーの投受光面が遮光部の後面と当接するように光電センサーを付勢する付勢手段を備えており、
ホルダー部の付勢手段は、光電センサーの後端面を付勢する板バネを有することを特徴としている。
このように構成された本発明においては、光電センサーの投光素子及び受光素子の投受光面の垂線が斜め下方に向くように配置されていても、透光板と光電センサーの投受光面との間に、その前面が透光板と当接すると共にその後面が光電センサーの投受光面と当接し且つ投光素子と受光素子からの投受光がそれぞれ通過可能な貫通孔が形成された遮光部を設けたので、光電センサーの投受光面と透光板との間の空間において投光と受光を遮断することができ、それにより、投光素子からの光線が透光板により受光素子側に反射して誤感知することを防止することができる。その結果、スパウト部の基部を鉛直に形成することができ、手洗いの空間を広く取ることができる。さらに、スパウト部の基部に手検出部を配置するようにしたため、組立て作業が簡単となる。また、ホルダー部と遮光部をアセンブリし、この後、このアセンブリされた遮光部がその前面が投光板と当接するようにスパウト部の基部の内面に取り付けられるので、遮光部の貫通孔を投光板に対し正確に位置決めすることができる。また、付勢手段により、光電センサーが、光電センサーの投受光面が遮光部の後面と当接するように付勢されるので、光電センサーの投受光面と遮光部の後面の間に隙間が発生することを防止でき、その結果、その隙間で生じるよごれや水滴による悪影響が解消されるので、光電センサーによる検知精度を向上させることができる。また、板バネにより、光電センサーの後端面を付勢しているので、光電センサーの投受光面と遮光部の後面の間に隙間が発生することをより効果的に防止することができる。
【０００８】
本発明において、好ましくは、手検出部は、更に、スパウト部の基部に対して着脱可能な前面板を備え、この前面板に透光板及びホルダー部又は遮光部がそれぞれ取り付けられている。
このように構成された本発明においては、手検知部が一体的にスパウト部の基部に着脱可能となり、組立て作業が簡単になると共にメンテナンスも行ない易くなる。
【０００９】
本発明において、好ましくは、前面板は、スパウト部の基部の前面にパッキンを介して固定部材により固定される内蓋と、この内蓋に固定部材を隠すように嵌め込まれる外蓋とから構成されている。
このように構成された本発明においては、前面板を内蓋と外蓋から構成し、内蓋をスパウト部の基部の前面にパッキンを介して固定部材により固定するようにしているので、外部からスパウト部内への水（水滴）の浸入を防止することができ、さらに、外蓋が固定部材を隠すように内蓋に嵌め込まれているので、見栄えが向上する。
【００１０】
本発明において、好ましくは、自動水栓は、更に、光電センサーに信号線を介して接続された吐水を制御するコントロールユニットと、前面板に固定され信号線を光電センサーの近傍で保持するコードクランプ手段とを備えている。
このように構成された本発明においては、光電センサーをコントロールユニットに接続する信号線がコードクランプ手段により前面板に固定されているので、スパウト部の基部内に手検知部を取り付ける際に、作業者により信号線が引っ張られても、コードクランプ手段により光電センサーには力が作用しないので、光電センサーと遮光板との間に隙間が発生する等の不具合の発生を防止することができる。
【００１１】
上記の目的を達成するために、本発明は、手洗い空間内の使用者の手の有無を検知し手がある場合には自動的に吐水する自動水栓であって、鉛直方向に延びる基部とこの基部の上端から前方に延び先端に吐水口を備えた延出部からなりそれらの内部に吐水流路が形成されているスパウト部と、このスパウト部の基部内に取り付けられ使用者の手を検知する手検知部と、この手検知部が使用者の手を検知したとき吐水口から吐水する吐水手段と、を有し、手検知部は、スパウト部の基部の前面に取り付けられた透光板と、この透光板に対向し且つ投受光面の垂線が斜め下方に向くように配置された投光素子及び受光素子を備えた光電センサーと、透光板と光電センサーの投受光面との間に設けられ、その前面が透光板と当接すると共にその後面が光電センサーの投受光面と当接し且つ投光素子と受光素子からの投受光がそれぞれ通過可能な貫通孔が形成された遮光部を備えており、
手検出部は、更に、スパウト部の基部に対して着脱可能な前面板を備え、この前面板に透光板及びホルダー部又は遮光部がそれぞれ取り付けられており、
前面板は、スパウト部の基部の前面にパッキンを介して固定部材により固定される内蓋と、この内蓋に固定部材を隠すように嵌め込まれる外蓋とから構成されていることを特徴としている。
このように構成された本発明においては、光電センサーの投光素子及び受光素子の投受光面の垂線が斜め下方に向くように配置されていても、透光板と光電センサーの投受光面との間に、その前面が透光板と当接すると共にその後面が光電センサーの投受光面と当接し且つ投光素子と受光素子からの投受光がそれぞれ通過可能な貫通孔が形成された遮光部を設けたので、光電センサーの投受光面と透光板との間の空間において投光と受光を遮断することができ、それにより、投光素子からの光線が透光板により受光素子側に反射して誤感知することを防止することができる。その結果、スパウト部の基部を鉛直に形成することができ、手洗いの空間を広く取ることができる。さらに、スパウト部の基部に手検出部を配置するようにしたため、組立て作業が簡単となる。また、手検知部が一体的にスパウト部の基部に着脱可能となり、組立て作業が簡単になると共にメンテナンスも行ない易くなる。また、前面板を内蓋と外蓋から構成し、内蓋をスパウト部の基部の前面にパッキンを介して固定部材により固定するようにしているので、外部からスパウト部内への水（水滴）の浸入を防止することができ、さらに、外蓋が固定部材を隠すように内蓋に嵌め込まれているので、見栄えが向上する。
【００１２】
上記の目的を達成するために、本発明は、手洗い空間内の使用者の手の有無を検知し手がある場合には自動的に吐水する自動水栓であって、鉛直方向に延びる基部とこの基部の上端から前方に延び先端に吐水口を備えた延出部からなりそれらの内部に吐水流路が形成されているスパウト部と、このスパウト部の基部内に取り付けられ使用者の手を検知する手検知部と、この手検知部が使用者の手を検知したとき吐水口から吐水する吐水手段と、を有し、手検知部は、スパウト部の基部の前面に取り付けられた透光板と、この透光板に対向し且つ投受光面の垂線が斜め下方に向くように配置された投光素子及び受光素子を備えた光電センサーと、透光板と光電センサーの投受光面との間に設けられ、その前面が透光板と当接すると共にその後面が光電センサーの投受光面と当接し且つ投光素子と受光素子からの投受光がそれぞれ通過可能な貫通孔が形成された遮光部を備えており、
手検出部は、更に、スパウト部の基部に対して着脱可能な前面板を備え、この前面板に透光板及びホルダー部又は遮光部がそれぞれ取り付けられており、自動水栓は、更に、光電センサーに信号線を介して接続された吐水を制御するコントロールユニットと、前面板に固定され信号線を光電センサーの近傍で保持するコードクランプ手段とを備えていることを特徴としている。
このように構成された本発明においては、光電センサーの投光素子及び受光素子の投受光面の垂線が斜め下方に向くように配置されていても、透光板と光電センサーの投受光面との間に、その前面が透光板と当接すると共にその後面が光電センサーの投受光面と当接し且つ投光素子と受光素子からの投受光がそれぞれ通過可能な貫通孔が形成された遮光部を設けたので、光電センサーの投受光面と透光板との間の空間において投光と受光を遮断することができ、それにより、投光素子からの光線が透光板により受光素子側に反射して誤感知することを防止することができる。その結果、スパウト部の基部を鉛直に形成することができ、手洗いの空間を広く取ることができる。さらに、スパウト部の基部に手検出部を配置するようにしたため、組立て作業が簡単となる。また、手検知部が一体的にスパウト部の基部に着脱可能となり、組立て作業が簡単になると共にメンテナンスも行ない易くなる。また、光電センサーをコントロールユニットに接続する信号線がコードクランプ手段により前面板に固定されているので、スパウト部の基部内に手検知部を取り付ける際に、作業者により信号線が引っ張られても、コードクランプ手段により光電センサーには力が作用しないので、光電センサーと遮光板との間に隙間が発生する等の不具合の発生を防止することができる。
【００１３】
上記の目的を達成するために、本発明は、手洗い空間内の使用者の手の有無を検知し手がある場合には自動的に吐水する自動水栓であって、鉛直方向に延びる基部とこの基部の上端から前方に延び先端に吐水口を備えた延出部からなりそれらの内部に吐水流路が形成されているスパウト部と、このスパウト部の基部内に取り付けられ使用者の手を検知する手検知部と、この手検知部が使用者の手を検知したとき吐水口から吐水する吐水手段と、を有し、手検知部は、スパウト部の基部の前面に取り付けられた透光板と、この透光板に対向し且つ投受光面の垂線が斜め下方に向くように配置された投光素子及び受光素子を備えた光電センサーと、透光板と光電センサーの投受光面との間に設けられ、その前面が透光板と当接すると共にその後面が光電センサーの投受光面と当接し且つ投光素子と受光素子からの投受光がそれぞれ通過可能な貫通孔が形成された遮光部を備えており、手検出部は、更に、光電センサーの投受光面が遮光部の後面に当接した状態で光電センサー及び遮光部を収納するホルダー部を備え、このホルダー部がスパウト部の基部の内面に取り付けられており、遮光部とホルダー部は一体的に形成されており、手検出部は、更に、スパウト部の基部に対して着脱可能な前面板を備え、この前面板に透光板及びホルダー部又は遮光部がそれぞれ取り付けられており、
前面板は、スパウト部の基部の前面にパッキンを介して固定部材により固定される内蓋と、この内蓋に固定部材を隠すように嵌め込まれる外蓋とから構成されていることを特徴としている。
このように構成された本発明においては、光電センサーの投光素子及び受光素子の投受光面の垂線が斜め下方に向くように配置されていても、透光板と光電センサーの投受光面との間に、その前面が透光板と当接すると共にその後面が光電センサーの投受光面と当接し且つ投光素子と受光素子からの投受光がそれぞれ通過可能な貫通孔が形成された遮光部を設けたので、光電センサーの投受光面と透光板との間の空間において投光と受光を遮断することができ、それにより、投光素子からの光線が透光板により受光素子側に反射して誤感知することを防止することができる。その結果、スパウト部の基部を鉛直に形成することができ、手洗いの空間を広く取ることができる。さらに、スパウト部の基部に手検出部を配置するようにしたため、組立て作業が簡単となる。また、ホルダー部により、遮光部が光電センサーに対して位置決めされるので、光電センサーの投光素子と受光素子をそれぞれの貫通孔に対し正確に位置決めすることができる。また、光部とホルダー部は一体的に単一の部材で形成されているので、その分、組立て作業が簡単になる。また、遮光部を光電センサーに対してより正確に位置決めすることができるので、光電センサーの投光素子と受光素子をそれぞれの貫通孔に対し正確に位置決めすることができる。また、手検知部が一体的にスパウト部の基部に着脱可能となり、組立て作業が簡単になると共にメンテナンスも行ない易くなる。また、光電センサーをコントロールユニットに接続する信号線がコードクランプ手段により前面板に固定されているので、スパウト部の基部内に手検知部を取り付ける際に、作業者により信号線が引っ張られても、コードクランプ手段により光電センサーには力が作用しないので、光電センサーと遮光板との間に隙間が発生する等の不具合の発生を防止することができる。
【００１６】
本発明において、好ましくは、スパウト部の吐水流路は、スパウト部の内面により形成され、手検出部は、スパウト部の基部内の吐水流路とは別の空間内に配置されている。
このように構成された本発明においては、スパウト部の吐水流路がその内面により形成されているので、部品点数が減少し、組立て作業も簡単になる。さらに、手検出部がスパウト部の基部内の吐水流路とは別の空間内に配置されているので、手検知手段が水に晒されることがないので、信頼性が向上する。
【００１７】
本発明において、好ましくは、スパウト部の延出部は、水平方向に延び且つ吐水流路が幅広の扁平流路に形成されている。
このように構成された本発明においては、スパウト部の延長部の下方空間が広くなり、手洗い空間をより広くすることができる。
【発明の効果】
【００１８】
本発明の自動水栓によれば、手洗い空間を広くとることができ、さらに、組立作業を簡単にすることができる。
【発明を実施するための最良の形態】
【００１９】
以下、添付図面を参照して、本発明の自動水栓の実施形態を説明する。先ず、図１乃至図６により、本発明の第１実施形態による自動水栓を説明する。
図１は本発明の第１実施形態による自動水栓を示す全体斜視図であり、図２は図１に示す自動水栓の正面図であり、図３は図２のIII−III線に沿って見た断面図であり、図４は本発明の第１実施形態による自動水栓の部品を展開して示す部品展開図であり、図５は本発明の第１実施形態における吐水流路を示す自動水栓の斜視図であり、図６は図５の吐水流路を抜き出して示す斜視図である。
【００２０】
先ず、図１及び図２に示すように、符号１は、本発明の第１実施形態による自動水栓を示し、この自動水栓１は、スパウト部２を有し、このスパウト部２は、鉛直方向に延びる基部２ａとこの基部２ａの上端から前方に水平方向に延びる延出部２ｂから構成されており、延出部２ｂの先端には吐水口４が形成されている。
自動水栓１のスパウト部２の基部２ａの前面の内部空間には、手洗い空間Ｓ内の使用者の手の有無を検知するためのセンサー装置６が配置されている。
【００２１】
さらに、自動水栓１のスパウト部２の基部２ａの底面には、吐水用の吐水チューブ８が取り付けられ、また、この吐水チューブ８には、吐水のＯＮ／ＯＦＦを行うための電磁弁を備えた駆動ユニット１０が設けられている。この駆動ユニット１０には、コントロールユニット１２が接続されており、このコントロールユニット１２には、上述したセンサー装置６からの手の有無を検知した信号が信号線１４を経由して入力されるようになっている。
【００２２】
なお、スパウト部２の基部２ａの底面には、信号線１４やセンサー装置６へ電気を供給する電源線のための電源信号線用チューブ１６が取り付けられ、さらに、この電源信号線用チューブ１６の一部には、自動水栓１を洗面台等に固定するための固定用金具１８が取り付けられている。また、信号線１４やセンサー装置６へ電気を供給する電源線については、電源信号線用チューブ１６を通して取出す構造に代えて、スパウト部２の基部２ａに専用の取出し穴を設け、そこから取出すようにすることも良い。この場合は、電源信号専用チューブ１６に代えて、中実の棒体を用い、この中実の棒体に固定用金具１８を取り付けるようにしてもよい。
【００２３】
次に、図３及び図４により、センサー装置６の構造を説明する。センサー装置６は、スパウト部２の基部２ａの前面に取り付けられた前面板２０と、この前面板２０の上部に形成された孔に取り付けられる透光板２２と、この透光板２２の背部に空間を介して設けられた光電センサー２４と、これらの透光板２２と光電センサー２４との間に設けられた遮光板２６と、この遮光板２６と光電センサ２４を一体的に保持し上述した前面板２０に固定されるホルダー２８と、このホルダー２８を前面板２０に取り付けるためのネジ２９とから構成されている。先ず、これらの部品２０，２２，２４，２６，２８，２９を組み立てて一体とし、前面板２０をネジ３０により、スパウト部２の基部２ａの底面下方から固定することにより、センサー装置６がスパウト部２に取り付けられるようになっている。
このように、前面板２０がスパウト部２の基部２ａに対して着脱可能となっており、その結果、センサー装置６全体が一体的に、スパウト部２に着脱可能となる。
【００２４】
センサー装置６をより詳細に説明すると、光電センサー２４は、赤外線を投光する投光素子２４ａ及び手に当たり反射された赤外線を受光する受光素子２４ｂを備え、これらの投光素子２４ａ及び受光素子２４ｂは、透光板２２に対向し且つそれらの投受光面２４ｃの垂線２４ｄが斜め下方に向くように配置されている。
また、遮光板２６は、その前面２６ｄが透光板２２と当接すると共にその後面２６ｃが光電センサ−２４の投受光面２４ｃと当接し、さらに、投光素子２４ａと受光素子２４ｂからの投受光がそれぞれ通過可能な貫通孔２６ａ，２６ｂが形成されている。
【００２５】
また、ホルダー２８は、光電センサー２４の投受光面２４ｃが遮光板２６の後面２６ｃに当接した状態で光電センサー２４及び遮光板２６を収納して保持し、この状態で、前面板２０にネジ２９により取り付けられている。
【００２６】
次に、図３、図５及び図６により、自動水栓１の吐水流路を説明する。先ず、図３に示すように、吐水流路３４は、スパウト部２の基部２ａの内部に形成された第１吐水流路３６と、延出部２ｂの内部に形成された第２吐水流路３８とから構成されている。ここで、これらの吐水流路３６，３８は、いずれも、スパウト部２の内面により形成されている。
また、第２吐水流路３８は、幅広の扁平流路に形成されている。
一方、スパウト部２の基部２ａの内部の正面から見て中央部分には、光電センサー装置６を収納するための収納空間４０が形成されている。
【００２７】
第１吐水流路３６は、スパウト部２の基部２ａの自動水栓１を正面から見て左側側面に、収納空間４０とは隔離されて形成されている。この第１吐出流路３６は、図５及び図６に示すように、吐水チューブ８の上端部８ａに連結され正面から見て横方向に延びる連結路３６ａと、この連結路３６ａと連通し正面から見て左側側面に沿って上方に延びる側面路３６ｂから構成されている。さらに、この第１吐出流路３６は、スパウト部２の延出部２ｂの内部に形成された第２吐出流路３８に連通している。
【００２８】
次に、このように構成された本発明の第１実施形態による自動水栓１の作用を説明する。
先ず、手洗い空間Ｓ内に使用者の手がない場合には、センサー装置６は、コントロールユニット１２に何らの信号も送信しないので、駆動ユニット１０の電磁弁は閉状態となっており、スパウト部２の吐水口４から吐水されない通常の状態となっている。
【００２９】
一方、センサー装置６が手洗い空間Ｓ内に使用者の手があることを検知した場合には、その信号が信号線１４を経由して、コントロールユニット１２に送信され、コントロールユニット１２は、駆動ユニット１０の電磁弁を開状態とし、吐水を行なう。
具体的に言えば、光電センサー２４の投光素子２４ａから投光された赤外線が使用者の手に当たって反射し、この反射光を受光素子２４ｂが受光し、コントロールユニット１２は、反射光の量がしきい値を越えた場合に、使用者の手があると判定するようになっている。
【００３０】
次に、本発明の第１実施形態による自動水栓１により奏される効果を説明する。仮に、透光板２２と光電センサー２４との間の空間に、上述した遮光板２６を設けない場合には、光電センサー２４の投光素子２４ａ及び受光素子２４ｂの投光方向及び受光方向（投受光面２４ｃの垂線２４ｄの方向）が、斜め下方に向いているので、投光素子２４ａから投光した赤外線の一部が透光板２２で反射し、この反射光を受光素子２４ｂが受光することになる。この反射量が多ければ、その分、感度が低下し、センサー装置６が誤感知してしまう場合がある。
さらに、透光板２２の前面に水滴が付く場合があり、この場合にも、投光した赤外線の一部が透光板２２に付着した水滴により、受光素子２４ｂの方向に反射し、センサー装置６が誤感知する場合がある。
【００３１】
しかしながら、本発明の第１実施形態による自動水栓１においては、透光板２２と光電センサー２４の間に遮光板２６を設けたので、上述したようなセンサー装置６が誤感知を確実に防止することができる。即ち、遮光板２６には、上述したように、その前面２６ｄが透光板２２と当接すると共にその後面２６ｃが光電センサ−２４の投受光面２４ｃと当接し、さらに、投光素子２４ａと受光素子２４ｂからの投受光がそれぞれ通過可能な貫通孔２６ａ，２６ｂが形成されているので、投光される赤外線は、貫通孔２６ａを通過し、一方、受光される反射光は、貫通孔２６ｂを通過するので、投光と受光は遮断され、それにより光の指向性が向上し、透光板２２で反射した反射光が受光素子２４ａに到達することはない。透光板２２に水滴が付着した場合も同様である。
【００３２】
この結果、本実施形態によれば、センサー装置６が配置されたスパウト部２を鉛直方向に延びるように形成することができ、手洗いの空間Ｓを広くとることができる。また、スパウト部２の基部２ａにセンサー装置６を配置するため、スパウト部２の先端にセンサー装置を配置した場合よりも、組立作業が簡単になる。
【００３３】
また、本実施形態によれば、ホルダー２８が光電センサー２４の投受光面２４ｃが遮光板２６の後面２６ｃに当接した状態で光電センサー２４及び遮光板２６を収納し、この状態で、ホルダー２８をネジ２９により、前面板２０に取り付けるようにしているので、遮光板２６が光電センサー２４に対して位置決めされ、それにより、光電センサー２４の投光素子２４ａと受光素子２４ｂをそれぞれの貫通孔２６ａ，２６ｂに対し正確に位置決めすることができる。
【００３４】
また、本実施形態によれば、センサー装置６全体が、前面板２０により、スパウト部２の基部２ａに対して着脱可能となっているので、組立て作業が簡単になると共にメンテナンスも行ない易くなる。
【００３５】
また、本実施形態によれば、スパウト部２の吐水流路３４は、スパウト部２の内面により形成されているので、部品点数が減少し、組立て作業が簡単となる。
また、センサー装置６が、スパウト部２の基部２ａ内の第１吐水流路３６とは別の空間である収納空間４０内に配置されているので、センサー装置６は水に晒されることがなく、信頼性が向上する。
【００３６】
さらに、本実施形態によれば、スパウト部２の延出部２ｂが、水平方向に延び且つ第２吐水流路３８が幅広の扁平流路に形成されているので、スパウト部２の延長部２ｂの下方空間が広くなり、手洗い空間をより広くすることができる。
【００３７】
次に、図７及び図８により、上述した本発明の第１実施形態による自動水栓の変形例を説明する。図７は本発明の第１実施形態による自動水栓の変形例を示す断面図であり、図８は本発明の第１実施形態による自動水栓の変形例の部品を展開して示す部品展開図である。
ここで、上述した第１の実施形態においては、図４に示すように、ホルダー２８が光電センサー２４の投受光面２４ｃが遮光板２６の後面２６ｃに当接した状態で光電センサー２４及び遮光板２６を収納し、この状態で、ホルダー２８をネジ２９により、前面板２０に取り付けるようにしている。
【００３８】
しかしながら、この変形例においては、先ず、ホルダー４４が光電センサー２４を収納し、次に、このホルダー４４に収納された光電センサー２４の投受光面２４ｃが遮光板４２の後面４２ｃに当接するように、ホルダー４４を遮光板４２に対してネジ４６により取り付けることにより、ホルダー４４と遮光板４２とをアセンブリし、その後、このアセンブリされた遮光板４２の前面が透光板２２と当接するように、遮光板４２のネジ孔４２ｅにネジ４８をねじ込み、このアセンブリされた遮光板４２を前面板２０に取り付けるようにしている。従って、この変形例によれば，上述した第１の実施形態に比べて、遮光板４２の貫通孔４２ａ、４２ｂの透光板２２に対する鉛直方向における位置を、正確に位置決めすることができる。
【００３９】
次に、図９及び図１０により、本発明の第２実施形態による自動水栓を説明する。この第２実施形態による自動水栓５１は、第１実施形態の自動水栓１と、遮光板とホルダーを一体的に単一の部材である遮光板兼ホルダー５２で形成した構成が異なっているのみであり、他の構成は同じである。
この第２実施形態においては、遮光部とホルダー部は一体的に単一の部材である遮光板兼ホルダー５２で形成されているので、その分、組立て作業が簡単になる。また、遮光部を光電センサー２４に対してより正確に位置決めすることができるので、光電センサー２４の投光素子２４ａと受光素子２４ｂをそれぞれの貫通孔２６ａ，２６ｂに対し正確に位置決めすることができる。
【００４０】
次に、図１１乃至図１３により、本発明の第３実施形態による自動水栓を説明する。この第３実施形態による自動水栓において、第１実施形態（図１乃至図６参照）及び第１実施形態の変形例（図７及び図８参照）と同一構成には同一符号を付し、それらの説明は省略し、異なる部分を説明する。図１１は本発明の第３実施形態による自動水栓を示す断面図であり、図１２は本発明の第３実施形態による自動水栓の部品を展開して示す部品展開図であり、図１３は、本発明の第３実施形態による自動水栓のコードクランプを示す図１１のＰ方向から見た図である。
【００４１】
図１１及び図１２に示すように、この第３実施形態による自動水栓６１においては、先ず、ホルダー６２が光電センサー２４を収納し、次に、このホルダー６２に収納された光電センサー２４の投受光面２４ｃが遮光板４２の後面４２ｃに当接するように、ホルダー６２を遮光板４２に対してネジ４６により取り付けることにより、ホルダー６２と遮光板４２とをアセンブリし、その後、このアセンブリされた遮光板４２の前面が透光板２２と当接するように、遮光板４２のネジ孔４２ｅにネジ４８をねじ込み、このアセンブリされた遮光板４２を前面板２０に取り付けるようにしている。従って、この第３実施形態によれば，上述した第１の実施形態に比べて、第１実施形態の変形例と同様に、遮光板４２の貫通孔４２ａ、４２ｂの透光板２２に対する鉛直方向における位置を、正確に位置決めすることができる。
【００４２】
さらに、図１１及び図１２に示すように、この第３実施形態による自動水栓６１において、ホルダー６２が、付勢手段である板バネ６２ａを備えている。このホルダー６２の板バネ６２ａにより、光電センサー２４の後端面が前方に付勢され、光電センサー２４の投光素子２４ａの投受光面２４ｃが遮光板４２の後面４２ｃと当接するようになっている。
【００４３】
次に、第３実施形態による自動水栓６１は、前面板２０が、内蓋２０ａと外蓋２０ｂから構成されている。内蓋２０ａには、外蓋２０ｂを嵌め込むための開口孔２０ｃが形成され、内蓋２０ａは、スパウト部２の基部２ａの前面に、パッキン６４を介して、ネジ６６により固定されている。ここで、パッキン６４は、内蓋２０ａの後面の外周の全域に沿って設けられている。また、ネジ６６は、内蓋２０ａの正面（前面）側からほぼ等間隔に３箇所固定するようになっている。また、これらのネジ６６の頭部にも、パッキン６５がそれぞれ取り付けられている。
【００４４】
外蓋２０ｂは、内蓋２０ａの開口孔２０ｃに対応する位置に挿入突起２０ｄが形成され、外蓋２０ｂは、内蓋２０ａの開口孔２０ｃに挿入突起２０ｄがＯリング６８を介して嵌め込まれるようになっている。このとき、外蓋２０ｂにより、内蓋２０ｂの固定のためのネジ６６は外観上の見栄えを良くするために隠れるようになっている。
【００４５】
更に、第３実施形態による自動水栓６１は、光電センサー２４とコントロールユニット１２とを接続する信号線１４を保持するためのコードクランプ７０を備えている。このコードクランプ７０は、図１１〜図１３に示すように、コードクランプ本体７０ａを備え、このコードクランプ本体７０ａの端に信号線１４をクランプするためのクランプ部７０ｂが形成され、光電センサー２４の近傍の位置で、コードクランプ本体７０ａが前面板１０の内蓋２０ａの裏面にネジ７２により固定されるようになっている。また、コードクランプ７０は、万一、センサー装置６の施工時や取付時に、信号線１４が作業者により誤って引っ張られて回転することがあっても、スパウト部２の基部２ａの内部の壁（図示せず）に当接して、その回転が阻止されるようになっている。
【００４６】
次に、上述した本発明の第３実施形態による自動水栓６１の作用及び効果を説明する。
本発明の第３実施形態の自動水栓６１においては、ホルダー６２の板バネ６２ａにより、光電センサー２４の後端面が前方に付勢され、光電センサー２４の投光素子２４ａの投受光面２４ｃが遮光板２６の後面２６ｃと当接するようになっているので、光電センサー２４の投光素子２４ａの投受光面２４ｃは遮光板２６の後面２６ｃと常時当接し、それらの間に隙間が生じることがない。仮に、隙間が生じれば、その隙間で生じる汚れや水滴に影響で光電センサー２４の検知精度が低下するが、本実施形態によれば、そのような隙間が生じないので、光電センサー２４の検知精度の低下を防止できる。
【００４７】
また、本発明の第３実施形態の自動水栓６１においては、前面板２０が、内蓋２０ａと外蓋２０ｂとから構成され、内蓋２０ａをスパウト部２の基部2ａの前面にパッキン６４
を介してネジ６６により前面（正面）側から固定するようにしているので、外部からスパウト部２内への水（水滴）の進入を防止することができる。さらに、外蓋２０ｂがネジ６６を隠すように内蓋２０ａに嵌め込まれているので、見栄えが向上する。
【００４８】
更に、本発明の第３実施形態の自動水栓６１においては、光電センサー２４をコントロールユニット１２に接続する信号線１がコードクランプ７０により前面板２０の内蓋２０ａに固定されているので、スパウト部２の基部２ａ内にセンサー装置６を取り付ける際に、作業者により信号線１４が引っ張られても、コードクランプ７０により光電センサー２４には力が作用しないので、光電センサー２４と遮光板４２との間に隙間が発生する等の不具合の発生を防止することができる。
【図面の簡単な説明】
【００４９】
【図１】本発明の第１実施形態による自動水栓を示す全体斜視図である。
【図２】図１に示す自動水栓の正面図である。
【図３】図２のIII−III線に沿って見た断面図である。
【図４】本発明の第１実施形態による自動水栓の部品を展開して示す部品展開図である。
【図５】本発明の第１実施形態における吐水流路を示す自動水栓の斜視図である。
【図６】図５の吐水流路を抜き出して示す斜視図である。
【図７】本発明の第１実施形態による自動水栓の変形例を示す断面図である。
【図８】本発明の第１実施形態による自動水栓の変形例の部品を展開して示す部品展開図である。
【図９】本発明の第２実施形態による自動水栓を示す断面図である。
【図１０】本発明の第２実施形態による自動水栓の部品を展開して示す部品展開図である。
【図１１】本発明の第３実施形態による自動水栓を示す断面図である。
【図１２】本発明の第３実施形態による自動水栓の部品を展開して示す部品展開図である。
【図１３】本発明の第３実施形態による自動水栓のコードクランプを示す図１１のＰ方向から見た図である。
【符号の説明】
【００５０】
１，５１，６１  自動水栓
２  スパウト部
２ａ  スパウト部の基部
２ｂ  スパウト部の延出部
４  吐水口
６  センサー装置
８  吐水チューブ
１０  駆動ユニット
１２  コントロールユニット
１４  信号線
２０  前面板
２０ａ  内蓋
２０ｂ  外蓋２０ｃ  開口孔
２０ｄ  挿入突起
２２  透光板
２４  光電センサー
２６，４２  遮光板
２８，４４，６２  ホルダー
３０  ネジ
３４  吐水流路
３６  第１吐水流路
３８  第２吐水流路
４０  収納空間
５２  遮光板兼ホルダー
６２ａ  板バネ
６４，６５  パッキン
６６  ネジ
６８  Ｏリング
７０  コードクランプ
【図１】
0004784908.tif 000002
【図２】
0004784908.tif 000003
【図３】
0004784908.tif 000004
【図４】
0004784908.tif 000005
【図５】
0004784908.tif 000006
【図６】
0004784908.tif 000007
【図７】
0004784908.tif 000008
【図８】
0004784908.tif 000009
【図９】
0004784908.tif 000010
【図１０】
0004784908.tif 000011
【図１１】
0004784908.tif 000012
【図１２】
0004784908.tif 000013
【図１３】
0004784908.tif 000014